(57)【特許請求の範囲】
【請求項１】
使用済みロールフィルタを洗浄するロールフィルタ洗浄装置において、水平に引き出されたロールフィルタの上面側と下面側とに交互に配置され該ロールフィルタの上下面に接触して振動を与える振動ローラーと、ロールフィルタの上面側と下面側とに吸引口が配置され振動ローラーの振動でロールフィルタから分離した塵埃を吸塵する集塵機と、集塵機にて吸塵されたロールフィルタをロール状に巻き付けた状態で洗浄液に浸漬する洗剤槽と、洗浄液浸漬後、引き出されたロールフィルタの両面をブラッシングするブラッシング機と、ブラッシングされたロールフィルタをロール状に巻き付けた状態で脱水する脱水機とを備え、該脱水機は、縦置きした回転ドラムの中に円筒状の網パイプを複数本収納し、この網パイプごとロールフィルタを回転させて脱水するように構成したことを特徴とするロールフィルタ洗浄装置。
【請求項２】
前記振動ローラーは、ロール表面に弾性板状の圧接板が放射状に設けられ、前記ロールフィルタに圧着する圧接板の弾性力で前記ロールフィルタに振動を与えるように構成すると共に、使用済み面を下にして引き出した前記ロールフィルタの上面側に配置された上部ローラーと下面側に配置された下部ローラーとが交互に配置され、前記ロールフィルタを側面波形状にした状態で振動を与えるように構成した請求項１又は２記載のロールフィルタ洗浄装置。
【請求項３】
前記集塵機は、バキューム装置に吸引ホースを装着し、該吸引ホースからロールフィルタ上部に配置する上部吸引口と下部に配置する下部吸引口とが設けられ、上部吸引口は、前記振動ローラーと平行に配設された長方形状の開口部を備えると共に、該上部吸引口に、複数の吸引ホースを連結するように構成した請求項１記載のロールフィルタ洗浄装置。
【請求項４】
前記ブラッシング機は、水槽の中に引き出された前記ロールフィルタの上面側と下面側とにロールブラシが交互に配置され、水槽内の水にロールフィルタを浸漬し、流水の中でブラッシングを行うように構成した請求項１記載のロールフィルタ洗浄装置。
【請求項５】
前記脱水機にて脱水され乾燥した前記ロールフィルタを巻き戻しながら目視検査用に前記ロールフィルタを引き出して展開する検査台を備えた請求項１記載のロールフィルタ洗浄装置。
【発明の詳細な説明】
【技術分野】
【０００１】
本発明は、主に電車等の空調機に装着されているロールフィルタを効率良く確実に洗浄することができるロールフィルタ洗浄装置に関するものである。
【背景技術】
【０００２】
電車の室内天井に設置されている空調設備には、ロールフィルタが装着されている。このロールフィルタは、幅１メートル、長さ８メートルほどで、例えば毎日１メートルほど巻き取ることで、常に新しいフィルタ面で吸塵し、１週間程度の使用後、ロールに巻き取られたロールフィルタを新しいものと交換し、使用済みのロールフィルタを洗浄するものである。
【０００３】
ロールフィルタの洗浄方法は、洗浄水や圧縮空気等をフィルタ面に噴き付け、その噴射力で付着した塵挨を吹き飛ばす方法が行われていた。例えば、特許文献１に記載の洗浄装置は、洗浄剤が貯留されている洗浄剤浸透槽に予め使用済みローフィルタを浸漬し、この洗浄剤浸透槽から引き上げられたロールフィルタの片面から高速の洗浄剤噴流を吹き付ける洗浄剤スプレーを備えた装置である。
【０００４】
また、特許文献２に記載の洗浄装置は、フィルタの上面に圧着した補助移送手段により移送しながら、フィルタ下面に接するノズルで吸塵し、次に、フィルタを上下加振手段により加振しながら、フィルタ下面に装着したブラシユニットで除塵する装置である。
【０００５】
更に、特許文献３に記載の洗浄装置は、フィルタの搬送経路に沿って、圧縮空気噴射手段と集塵機を設けたエアー洗浄ゾーンと、高圧水噴射手段を設けた水洗浄ゾーン及び温風発生手段を設けた乾燥ゾーンとを、連続的に順次配置した装置である。
【先行技術文献】
【特許文献】
【０００６】
【特許文献１】特許第４５６６６８７号公報
【特許文献２】特開２００２−２３３７２１号公報
【特許文献３】特開２００１−１２９３３２号公報
【発明の概要】
【発明が解決しようとする課題】
【０００７】
従来の洗浄装置に共通しているのは、いずれもフィルタの片面に洗浄水や圧縮空気等を噴き付けたり、あるいはフィルタの片側に集塵機を配して吸塵したりすることにあった。このよう構成しているのは、ロールフィルタの片面に埃等が吸着するロールフィルタの構造による。
【０００８】
ところが、使用後のロールフィルタを巻き取った状態で交換すると、使用済みのロールフィルタは、片側に付着した塵埃等が反対側に押し付けられるので、ロールに巻き取られた使用後のフィルタは、フィルタ両面に塵埃が付着した状態になっている。この状態で、一方の面から洗浄水や圧縮空気等を噴き付けると、拭き付ける側の面に付着している塵埃等はフィルタの内部にまで押し込まれてしまい、その後の除去が困難になっていた。特に、綿埃のような繊維質の塵埃や鉄粉等は、フィルタの内部に絡みついてしまうと除去が極めて困難になっていた。
【０００９】
しかも、フィルタに塵埃等が付着した状態で洗浄液等に浸漬した場合には、吸湿した綿埃がフィルタに絡みつきやすくなる。この状態で圧縮空気や洗浄液等を吹き付けると、絡みついた綿埃が更にフィルタの深部に絡みつくため、その後のブラッシングや吸引などで、綿埃等を除去することは困難になる。
【００１０】
このように、従来の洗浄装置では、ロールフィルタの片面から洗浄が行われていたので、洗浄水や圧縮空気等を噴き付ける面に付着している綿埃が絡み付き除去しにくい状態になり、綿埃等を効率良く除去することは困難であった。
【００１１】
そこで本発明は、上述の課題を解消すべく創出されたもので、ロールフィルタの両面を同等に洗浄することができる構成の洗浄装置を提供することで、フィルタの内部に綿埃等が絡み付くのを防止し、フィルタから綿埃等を効率良く除去することができるロールフィルタ洗浄装置の提供を目的とするものである。
【課題を解決するための手段】
【００１２】
上述の目的を達成すべく本発明における第１の手段は、使用済みロールフィルタＰを洗浄するロールフィルタ洗浄装置において、水平に引き出されたロールフィルタＰの上面側と下面側とに交互に配置され該ロールフィルタＰの上下面に接触して振動を与える振動ローラー１０と、ロールフィルタＰの上面側と下面側とに吸引口２１が配置され振動ローラー１０の振動でロールフィルタＰから分離した塵埃を吸塵する集塵機２０と、集塵機２０にて吸塵されたロールフィルタＰをロール状に巻き付けた状態で洗浄液に浸漬する洗剤槽３０と、洗浄液浸漬後、引き出されたロールフィルタＰの両面をブラッシングするブラッシング機４０と、ブラッシングされたロールフィルタＰをロール状に巻き付けた状態で脱水する脱水機５０とを備え、該脱水機５０は、縦置きした回転ドラム５１の中に円筒状の網パイプ５２を複数本収納し、この網パイプ５２ごとロールフィルタＰを回転させて脱水するように構成したことにある。
【００１３】
第２の手段において、前記振動ローラー１０は、ロール１１表面に弾性板状の圧接板１２が放射状に設けられ、前記ロールフィルタＰに圧着する圧接板１２の弾性力で前記ロールフィルタＰに振動を与えるように構成すると共に、使用済み面を下にして引き出した前記ロールフィルタＰの上面側に配置された上部ローラー１３と下面側に配置された下部ローラー１４とが交互に配置され、前記ロールフィルタＰを側面波形状にした状態で振動を与えるように構成している。
【００１４】
第３の手段の前記集塵機２０は、バキューム装置２２に吸引ホース２３を装着し、該吸引ホース２３からロールフィルタＰ上部に配置する上部吸引口２１Ａと下部に配置する下部吸引口２１Ｂとが設けられ、上部吸引口２１Ａは、前記振動ローラー１０と平行に配設された長方形状の開口部を備えると共に、該上部吸引口２１Ａに、複数の吸引ホース２３を連結するように構成したものである。
【００１５】
第４の手段の前記ブラッシング機４０は、水槽４２の中に引き出された前記ロールフィルタＰの上面側と下面側とにロールブラシ４１が交互に配置され、水槽４２内の水にロールフィルタＰを浸漬し、流水の中でブラッシングを行うように構成したものである。
【００１７】
第５の手段は、前記脱水機５０にて脱水され乾燥した前記ロールフィルタＰを巻き戻しながら目視検査用に前記ロールフィルタＰを引き出して展開する検査台６０を備えたことにある。
【発明の効果】
【００１８】
本発明の請求項１によると、ロールフィルタＰの上下面に接触して振動を与える振動ローラー１０と、ロールフィルタＰの上面側と下面側とに吸引口２１が配置され振動ローラー１０の振動でロールフィルタＰから分離した塵埃を吸塵する集塵機２０とを備えたことから、ロールフィルタＰの両面に付着している塵埃、特に、綿埃等をロールフィルタＰの両面から同時に除去することが可能になった。この結果、従来のように、一方の面から除去する際に、他方の面の綿埃がロールフィルタ内部に入り込むといった不都合を解消することに成功した。したがって、その後の洗剤槽３０やブラッシング機４０による洗浄にて、ロールフィルタＰに付着した綿埃や鉄粉等の塵埃を効率良く確実に除去することができるものである。また、脱水機５０は、縦置きした回転ドラム５１の中に円筒状の網パイプ５２を複数本収納し、この網パイプ５２ごとロールフィルタＰを回転させて脱水するように構成しているので、ロールフィルタＰに損傷を与えずに脱水することができる。しかも、脱水機５０へのロールフィルタＰの投入や取り出し作業も容易になり、脱水作業を効率化することができる。
【００１９】
請求項２のごとく、振動ローラー１０のロール１１表面に弾性板状の圧接板１２が放射状に設けられ、ロールフィルタＰに圧着する圧接板１２の弾性力でロールフィルタＰに振動を与えるように構成しているので、ロールフィルタＰにダメージを与えずに、ロールフィルタＰの全面を効率良く振動させて塵埃を叩き出すことができる。
【００２０】
しかも、振動ローラー１０は、ロールフィルタＰの上面側に配置された上部ローラー１３と、下面側に配置された下部ローラー１４とが交互に配置され、ロールフィルタＰを側面波形状にした状態で振動を与えるように構成したことで、ロールフィルタＰに、細かい波を打つように振動を与えることができる。この結果、特に綿埃等の毛足の長い塵埃や鉄粉等をロールフィルタＰ内部から分離させるのに好適な振動となるものである。
【００２１】
請求項３のように、集塵機２０の構成として、バキューム装置２２に吸引ホース２３を装着し、該吸引ホース２３からロールフィルタＰ上部に配置する上部吸引口２１Ａと下部に配置する下部吸引口２１Ｂとが設けられ、上部吸引口２１Ａは、前記振動ローラー１０と平行に配設された長方形状の開口部を備えると共に、該上部吸引口２１Ａに、複数の吸引ホース２３を連結するように構成したことで、特に、ロールフィルタＰの上面に付着している綿塵等を、極めて効率良く吸塵することができるものである。
【００２２】
請求項４のように、ブラッシング機４０の構成として、水槽４２の中に引き出されたロールフィルタＰの上面側と下面側とにロールブラシ４１を交互に配置し、水槽４２内の水にロールフィルタＰを浸漬し、流水の中でブラッシングを行うように構成したことで、洗剤と共にロールフィルタＰの内部に付着している細かな塵埃を洗剤と共に確実に除去することができる。
【００２４】
請求項５のように、脱水機５０にて脱水され乾燥した前記ロールフィルタＰを巻き戻しながら目視検査用にロールフィルタＰを展開する検査台６０を備えたことにより、洗浄後のロールフィルタＰに破れ等の破損の有無を確認することが可能になる。また、ごく一部の綿埃が残っていたとしても、この検査台６０上で確認して除去できるので、綿埃の完全な除去も可能である。
【図面の簡単な説明】
【００２５】
【図１】本発明の振動ローラーと集塵機との一実施例を示す概略側断面図である。
【図２】本発明の振動ローラーと集塵機との一実施例を示す概略平面図である。
【図３】本発明の洗剤槽の一実施例を示す概略側断面図である。
【図４】本発明のブラッシング機の一実施例を示す概略側断面図である。
【図５】本発明のブラッシング機の一実施例を示す概略平面図である。
【図６】本発明の脱水機の一実施例を示す概略側断面図である。
【図７】本発明の脱水機の一実施例を示す概略平面図である。
【図８】本発明の検査台の一実施例を示す概略側面図である。
【発明を実施するための形態】
【００２６】
本発明によると、ロールフィルタの両面を同等に洗浄することができる構成の洗浄装置を提供することで、フィルタの内部に綿埃等が絡み付くのを防止し、フィルタから綿埃等を効率良く除去することができるなどといった当初の目的を達成した。
【実施例】
【００２７】
以下、本発明の実施例を説明する。本発明洗浄装置は、主に電車等の天井に設置された空気清浄機に装着されているロールフィルタＰを洗浄する装置である。本発明の主な構成は、振動ローラー１０、集塵機２０、洗剤槽３０、ブラッシング機４０、脱水機５０にて構成される。
【００２８】
振動ローラー１０は、ロールフィルタＰの上下面に接触して振動を与える部材である（図１参照）。この振動ローラー１０は、水平に引き出されたロールフィルタＰの上面側と下面側とに交互に配置されている。図示例では、ロールフィルタＰの長手方向に対して直交する位置に振動ローラー１０が配置されている。そして、このロールフィルタＰの幅全体に振動を与えるものである。
【００２９】
また、この振動ローラー１０は、ロール１１の表面に弾性板状の圧接板１２が放射状に設けられ、ロールフィルタＰに圧着する圧接板１２の弾性力でロールフィルタＰに振動を与えるように構成している（図１参照）。このため、圧接板１２には、合成樹脂材や合成ゴム材、天然ゴム材等の材質が好ましい。
【００３０】
更に、この振動ローラー１０は、使用済み面を下にして引き出したロールフィルタＰの上面側の上部ローラー１３と、ロールフィルタＰの下面側の下部ローラー１４とが交互に配置されている（図１参照）。そして、これらの振動ローラー１０にて、ロールフィルタＰを側面波形状に押圧した状態で振動を与えるように構成したものである。図示例では、ロールフィルタＰの上面側に１個の上部ローラー１３を配置し、ロールフィルタＰの下面側に２個の下部ローラー１４を配置している。更に、これら３個の振動ローラー１０をトルクモーター１５にて回転させている。このとき、トルクモーター１５は、ロールフィルタＰを展開して巻き付けるトルクモーター１６とは別のトルクモーターを使用している。
【００３１】
集塵機２０は、振動ローラー１０の振動でロールフィルタＰから分離された塵埃を吸塵する装置で、ロールフィルタＰの上面側と下面側とに吸引口２１が配置されている（図１参照）。この集塵機２０は、バキューム装置２２に上下２本の吸引ホース２３を装着し、この吸引ホース２３の吸引口２１をロールフィルタＰの上下に配置したものである。
【００３２】
図示例では、ロールフィルタＰ上部に配置する上部吸引口２１Ａと下部に配置する下部吸引口２１Ｂとを設けている（図１参照）。そして、上部吸引口２１Ａは、上部ローラー１３と平行になるように配置された長方形状の開口部を備えている（図２参照）。更に、この上部吸引口２１Ａには、２本の吸引ホース２３を連結することで、この開口部全体から強力に吸塵できるように構成している。
【００３３】
洗剤槽３０は、洗浄液を貯留した槽である。集塵機２０にて吸塵された後のロールフィルタＰは、ロール状に巻き付けた状態でこの洗剤槽３０内に集積され、洗浄液に浸漬する（図３参照）。
【００３４】
ブラッシング機４０は、洗浄液に浸漬した後、引き出されたロールフィルタＰの上面側と下面側とに交互にロールブラシ４１が配置されるもので、水槽４２の中でロールフィルタＰの両面をブラッシングする（図４、５参照）。図示例では、排水口４３を備えた水槽４２の中にロールフィルタＰを浸漬し、流水の中でロールフィルタＰを展開して巻取る過程において、モーター（図示せず）で回転するロールフィルタＰの表面にロールブラシ４１を当接させ、ロールフィルタＰの表面をブラッシングするものである。このように構成することで、ロールフィルタＰから溶け出した塵埃が洗浄液と共に排出される。また、ロールブラシ４１の植毛は、長手中央から両端部方向に向けて斜めに向く螺旋状に埴毛している（図５参照）。このようなロールブラシ４１により、ロールフィルタＰの中央部分に付着している綿埃等は、次第にロールフィルタＰの縁に向かって除去されるようになる。
【００３５】
脱水機５０は、ブラッシングされたロールフィルタＰをロール状に巻き付けた状態で脱水する装置である（図６参照）。この脱水機５０は、縦置きの回転ドラム５１の中に縦にした円筒状の網パイプ５２を複数本収納し、この網パイプ５２をモーター５３で回転するように構成したものである。そして、この網パイプ５２に上から収納したロールフィルタＰを網パイプ５２ごと回転させて脱水するものである（図７参照）。
【００３６】
更に、脱水機５０にて脱水され乾燥したロールフィルタＰを巻き戻しながら目視検査用に前記ロールフィルタＰを引き出して展開する検査台６０を備えることも可能である（図８参照）。この検査台６０では、ロールフィルタＰの破れやその他の損傷の有無を確認するものである。
【産業上の利用可能性】
【００３７】
本発明の実施例において、主に電車等の天井に設置された空気清浄機に装着されているロールフィルタＰを洗浄する装置として説明しているが、ロールフィルタＰの種類はこれに限定されるものではなく、ロール状に巻き付けられたフィルタであればどのようなものでも洗浄することが可能である。
【符号の説明】
【００３８】
Ｐ  ロールフィルタ
１０  振動ローラー
１１  ロール
１２  圧接板
１３  上部ローラー
１４  下部ローラー
１５  トルクモーター
１６  トルクモーター
２０  集塵機
２１  吸引口
２１Ａ  上部吸引口
２１Ｂ  下部吸引口
２２  バキューム装置
２３  吸引ホース
３０  洗剤槽
４０  ブラッシング機
４１  ロールブラシ
４２  水槽
４３  排水口
５０  脱水機
５１  回転ドラム
５２  網パイプ
５３  モーター
６０  検査台
【図１】
0005773927.tif 000002
【図２】
0005773927.tif 000003
【図３】
0005773927.tif 000004
【図４】
0005773927.tif 000005
【図５】
0005773927.tif 000006
【図６】
0005773927.tif 000007
【図７】
0005773927.tif 000008
【図８】
0005773927.tif 000009